【手続補正書】
【提出日】平成27年3月9日(2015.3.9)
【手続補正１】
【補正対象書類名】明細書
【補正対象項目名】０００８
【補正方法】変更
【補正の内容】
【０００８】
本発明のインクジェット記録装置は、駆動パルスが印加されることでインクを吐出するためのエネルギーを生成する複数の記録素子が配列方向に配列された記録素子列を有する記録ヘッドと、前記記録ヘッドと記録媒体を前記配列方向と交差する走査方向に相対的に走査させる走査手段と、記録を行うために用いる記録データに基づいて、前記記録媒体を前記配列方向および前記走査方向に分割することにより得られる複数の分割領域それぞれに対するインクの吐出量に関する情報を取得する第１の取得手段と、前記複数の分割領域のそれぞれにおいて、前記第１の取得手段により取得された前記情報が示すインクの吐出量が第１の閾値以下である場合に前記分割領域を第１の分割領域と判定し、前記第１の取得手段により取得された前記情報が示すインクの吐出量が前記第１の閾値よりも多い場合に前記分割領域を第２の分割領域と判定する第１の判定手段と、前記第１の判定手段によって前記第２の分割領域と判定された前記分割領域それぞれに関し、対象の前記第２の分割領域と前記配列方向において同じ位置にある分割領域であって、且つ、前記第１の判定手段によって前記第１の分割領域と判定された前記分割領域が、当該対象の第２の分割領域に対して前記走査方向における上流側に連なる数により規定される当該対象の第２の分割領域における連続数に関する情報を取得する第２の取得手段と、前記第２の取得手段によって取得された前記情報が示す前記対象の第２の分割領域における前記連続数が第２の閾値よりも多い場合、当該対象の第２の分割領域を第３の分割領域と判定する第２の判定手段と、前記走査手段による走査中の所定のタイミングごとの記録のために、プレパルスと、前記プレパルスよりも後に印加されるメインパルスと、をそれぞれ含むＮ個の駆動パルスであって、前記プレパルスのパルス幅が所定の幅よりも短いＫ（Ｋ＜Ｎ）個の前記駆動パルスと、前記プレパルスのパルス幅が前記所定の幅よりも長いＮ−Ｋ個の前記駆動パルスと、からなる前記Ｎ個の駆動パルスの中から１つの前記駆動パルスを選択する選択手段と、前記走査手段による走査を行いながら、前記複数の記録素子のそれぞれに前記選択手段によって選択された前記駆動パルスを印加することにより、前記記録データに基づいてインクを吐出するように制御する制御手段と、を有するインクジェット記録装置であって、前記選択手段は、（ｉ）前記第２の判定手段によって前記第３の分割領域と判定された前記分割領域を含む第１の領域にインクを吐出するタイミングにおいて、前記Ｎ−Ｋ個の駆動パルスのうちの第１の駆動パルスを選択し、（ｉｉ）前記第１の領域と前記走査方向に異なる第２の領域にインクを吐出するタイミングにおいて、前記Ｋ個の駆動パルスの中から１つの前記駆動パルスを選択することを特徴とする。
【手続補正２】
【補正対象書類名】特許請求の範囲
【補正対象項目名】全文
【補正方法】変更
【補正の内容】
【特許請求の範囲】
【請求項１】
駆動パルスが印加されることでインクを吐出するためのエネルギーを生成する複数の記録素子が配列方向に配列された記録素子列を有する記録ヘッドと、
前記記録ヘッドと記録媒体を前記配列方向と交差する走査方向に相対的に走査させる走査手段と、
記録を行うために用いる記録データに基づいて、前記記録媒体を前記配列方向および前記走査方向に分割することにより得られる複数の分割領域それぞれに対するインクの吐出量に関する情報を取得する第１の取得手段と、
前記複数の分割領域のそれぞれにおいて、前記第１の取得手段により取得された前記情報が示すインクの吐出量が第１の閾値以下である場合に前記分割領域を第１の分割領域と判定し、前記第１の取得手段により取得された前記情報が示すインクの吐出量が前記第１の閾値よりも多い場合に前記分割領域を第２の分割領域と判定する第１の判定手段と、
前記第１の判定手段によって前記第２の分割領域と判定された前記分割領域それぞれに関し、対象の前記第２の分割領域と前記配列方向において同じ位置にある分割領域であって、且つ、前記第１の判定手段によって前記第１の分割領域と判定された前記分割領域が、当該対象の第２の分割領域に対して前記走査方向における上流側に連なる数により規定される当該対象の第２の分割領域における連続数に関する情報を取得する第２の取得手段と、
前記第２の取得手段によって取得された前記情報が示す前記対象の第２の分割領域における前記連続数が第２の閾値よりも多い場合、当該対象の第２の分割領域を第３の分割領域と判定する第２の判定手段と、
前記走査手段による走査中の所定のタイミングごとの記録のために、プレパルスと、前記プレパルスよりも後に印加されるメインパルスと、をそれぞれ含むＮ個の駆動パルスであって、前記プレパルスのパルス幅が所定の幅よりも短いＫ（Ｋ＜Ｎ）個の前記駆動パルスと、前記プレパルスのパルス幅が前記所定の幅よりも長いＮ−Ｋ個の前記駆動パルスと、からなる前記Ｎ個の駆動パルスの中から１つの前記駆動パルスを選択する選択手段と、
前記走査手段による走査を行いながら、前記複数の記録素子のそれぞれに前記選択手段によって選択された前記駆動パルスを印加することにより、前記記録データに基づいてインクを吐出するように制御する制御手段と、を有するインクジェット記録装置であって、
前記選択手段は、（ｉ）前記第２の判定手段によって前記第３の分割領域と判定された前記分割領域を含む第１の領域にインクを吐出するタイミングにおいて、前記Ｎ−Ｋ個の駆動パルスのうちの第１の駆動パルスを選択し、（ｉｉ）前記第１の領域と前記走査方向に異なる第２の領域にインクを吐出するタイミングにおいて、前記Ｋ個の駆動パルスの中から１つの前記駆動パルスを選択することを特徴とするインクジェット記録装置。
【請求項２】
前記記録ヘッドは、第１の色のインクを吐出するための第１の前記記録素子列と、前記第１の色と異なる第２の色のインクを吐出するための第２の前記記録素子列と、を有し、
前記第２の判定手段は、（ｉ）前記第１の記録素子列を用いて前記第１の色のインクを吐出する場合には前記第２の閾値として第１の値を用い、（ｉｉ）前記第２の記録素子列を用いて前記第２の色のインクを吐出する場合には前記第２の閾値として前記第１の値と異なる第２の値を用いることを特徴とする請求項１に記載のインクジェット記録装置。
【請求項３】
前記記録媒体上の単位領域に対して前記走査手段による第１の回数の走査によって記録を行う第１の記録モードと、前記記録媒体上の単位領域に対して前記走査手段による前記第１の回数よりも多い第２の回数の走査によって記録を行う第２の記録モードと、を実行可能であって、
前記第２の判定手段は、（ｉ）前記第１の記録モードにしたがって記録を行う場合には前記第２の閾値として第３の値を用い、（ｉｉ）前記第２の記録モードにしたがって記録を行う場合には前記第２の閾値として前記第３の値よりも低い第４の値を用いることを特徴とする請求項１または２に記載のインクジェット記録装置。
【請求項４】
前記走査手段によって前記記録ヘッドを第１の速度にて走査させて記録を行う第３の記録モードと、前記走査手段によって前記記録ヘッドを前記第１の速度よりも速い第２の速度にて走査させて記録を行う第４の記録モードと、を実行可能であって、
前記第２の判定手段は、（ｉ）前記第３の記録モードにしたがって記録を行う場合には前記第２の閾値として第５の値を用い、（ｉｉ）前記第２の記録モードにしたがって記録を行う場合には前記第２の閾値として前記第５の値よりも高い第６の値を用いることを特徴とする請求項１から３のいずれか１項に記載のインクジェット記録装置。
【請求項５】
前記第２の判定手段は、前記第２の取得手段によって取得された前記情報が示す前記対象の第２の分割領域における前記連続数が前記第２の閾値よりも多い場合、当該対象の第２の分割領域に対して前記走査方向における下流側に連続する所定数の前記分割領域を前記第３の分割領域と更に判定することを特徴とする請求項１から４のいずれか１項に記載のインクジェット記録装置。
【請求項６】
前記記録ヘッドは、第１の色のインクを吐出するための第１の前記記録素子列と、前記第１の色と異なる第２の色のインクを吐出するための第２の前記記録素子列と、を有し、
前記第２の判定手段は、（ｉ）前記第１の記録素子列を用いて前記第１の色のインクを吐出する場合には前記所定数として第７の値を用い、（ｉｉ）前記第２の記録素子列を用いて前記第２の色のインクを吐出する場合には前記所定数として前記第７の値と異なる第８の値を用いることを特徴とする請求項５に記載のインクジェット記録装置。
【請求項７】
前記記録媒体上の単位領域に対して前記走査手段による第１の回数の走査によって記録を行う第１の記録モードと、前記記録媒体上の単位領域に対して前記走査手段による前記第１の回数よりも多い第２の回数の走査によって記録を行う第２の記録モードと、を実行可能であって、
前記第２の判定手段は、（ｉ）前記第１の記録モードにしたがって記録を行う場合には前記所定数として第９の値を用い、（ｉｉ）前記第２の記録モードにしたがって記録を行う場合には前記所定数として前記第９の値よりも高い第１０の値を用いることを特徴とする請求項５または６に記載のインクジェット記録装置。
【請求項８】
前記走査手段によって前記記録ヘッドを第１の速度にて走査させて記録を行う第３の記録モードと、前記走査手段によって前記記録ヘッドを前記第１の速度よりも速い第２の速度にて走査させて記録を行う第４の記録モードと、を実行可能であって、
前記第２の判定手段は、（ｉ）前記第３の記録モードにしたがって記録を行う場合には前記所定数として第１１の値を用い、（ｉｉ）前記第２の記録モードにしたがって記録を行う場合には前記所定数として前記第１１の値よりも高い第１２の値を用いることを特徴とする請求項５から７のいずれか１項に記載のインクジェット記録装置。
【請求項９】
前記記録ヘッドの温度に関する情報を取得する第３の取得手段を更に有し、
前記選択手段は、前記第２の領域にインクを吐出するタイミングにおいて、前記第３の取得手段によって取得された前記情報が示す温度に基づいて前記Ｋ個の駆動パルスの中から１つの前記駆動パルスを選択することを特徴とする請求項１から８のいずれか１項に記載のインクジェット記録装置。
【請求項１０】
前記選択手段は、（ｉ）前記第２の領域にインクを吐出するタイミングであって、前記第３の取得手段によって取得された前記情報が示す温度が第１の温度である場合、第２の駆動パルスを選択し、（ｉｉ）前記第２の領域にインクを吐出するタイミングであって、前記第３の取得手段によって取得された前記情報が示す温度が前記第１の温度よりも高い第２の温度である場合、前記第２の駆動パルスよりもプレパルスのパルス幅が短い第３の駆動パルスを選択することを特徴とする請求項９に記載のインクジェット記録装置。
【請求項１１】
前記選択手段は、前記第１の領域と前記第２の領域の前記走査方向における間に位置する第３の領域にインクを吐出するタイミングにおいて、前記第１の駆動パルスのプレパルスのパルス幅よりも短いプレパルスのパルス幅を有し、且つ、前記Ｎ−Ｋ個の駆動パルスを少なくとも含む複数の駆動パルスの中から１つの前記駆動パルスを選択することを特徴とする請求項１から１０のいずれか１項に記載のインクジェット記録装置。
【請求項１２】
前記選択手段は、（ｉ）前記第３の領域のうちの第１の位置にインクを吐出するタイミングにおいて第４の駆動パルスを選択し、（ｉｉ）前記第３の領域のうちの前記第１の位置よりも前記走査方向において前記第１の領域に近い第２の位置にインクを吐出するタイミングにおいて前記第４の駆動パルスよりもプレパルスのパルス幅が長い第５の駆動パルスを選択することを特徴とする請求項１１に記載のインクジェット記録装置。
【請求項１３】
前記第１の駆動パルスは、前記Ｎ個の駆動パルスの中でプレパルスのパルス幅が最も長い駆動パルスであることを特徴とする請求項１から１２のいずれか１項に記載のインクジェット記録装置。
【請求項１４】
前記複数の分割領域それぞれの前記配列方向における幅は、前記記録素子列の前記配列方向における幅よりも短いことを特徴とする請求項１から１３のいずれか１項に記載のインクジェット記録装置。
【請求項１５】
前記第１の取得手段は、前記複数の分割領域それぞれに対して記録されるドットの数に関する情報を前記複数の分割領域それぞれに対するインクの吐出量に関する前記情報として取得することを特徴とする請求項１から１４のいずれか１項に記載のインクジェット記録装置。
【請求項１６】
前記第１の閾値は、０であることを特徴とする請求項１５に記載のインクジェット記録装置。
【請求項１７】
前記記録ヘッドは、第１の色のインクを吐出するための第１の前記記録素子列と、前記第１の色と異なる第２の色のインクを吐出するための第２の前記記録素子列と、を有し、
前記第１の判定手段は、（ｉ）前記第１の記録素子列を用いて前記第１の色のインクを吐出する場合には前記第１の閾値として第１３の値を用い、（ｉｉ）前記第２の記録素子列を用いて前記第２の色のインクを吐出する場合には前記第１の閾値として前記第１３の値と異なる第１４の値を用いることを特徴とする請求項１から１５のいずれか１項に記載のインクジェット記録装置。
【請求項１８】
インクを吐出するためのエネルギーを生成する複数の記録素子が配列方向に配列された記録素子列を有する記録ヘッドと、
前記記録ヘッドと記録媒体を前記配列方向と交差する走査方向に相対的に走査させる走査手段と、
記録を行うために用いる記録データに基づいて、前記記録媒体を前記配列方向および前記走査方向に分割することにより得られる複数の分割領域それぞれに対するインクの吐出量に関する情報を取得する第１の取得手段と、
前記複数の分割領域のそれぞれにおいて、前記第１の取得手段により取得された前記情報が示すインクの吐出量が第１の閾値以下である場合に前記分割領域を第１の分割領域と判定し、前記第１の取得手段により取得された前記情報が示すインクの吐出量が前記第１の閾値よりも多い場合に前記分割領域を第２の分割領域と判定する第１の判定手段と、
前記第１の判定手段によって前記第２の分割領域と判定された前記分割領域それぞれに関し、対象の前記第２の分割領域と前記配列方向において同じ位置にある分割領域であって、且つ、前記第１の判定手段によって前記第１の分割領域と判定された前記分割領域が、当該対象の第２の分割領域に対して前記走査方向における上流側に連なる数により規定される当該対象の第２の分割領域における連続数に関する情報を取得する第２の取得手段と、
前記第２の取得手段によって取得された前記情報が示す前記対象の第２の分割領域における前記連続数が第２の閾値よりも多い場合、当該対象の第２の分割領域を第３の分割領域と判定する第２の判定手段と、
前記走査手段による走査を行いながら、前記複数の記録素子に駆動パワーを適用することにより、前記記録データに基づいてインクを吐出するように制御する制御手段と、を有するインクジェット記録装置であって、
前記制御手段は、前記第２の判定手段によって前記第３の分割領域と判定された前記分割領域を含む第１の領域にインクを吐出するタイミングにおける駆動パワーが、前記第１の領域と前記走査方向に異なる第２の領域にインクを吐出するタイミングにおける駆動パワーよりも強くなるように、前記複数の記録素子に駆動パワーを適用することを特徴とするインクジェット記録装置。
【請求項１９】
前記第２の判定手段は、前記第２の取得手段によって取得された前記情報が示す前記対象の第２の分割領域における前記連続数が前記第２の閾値よりも多い場合、当該対象の第２の分割領域に対して前記走査方向における下流側に連続する所定数の前記分割領域を前記第３の分割領域と更に判定することを特徴とする請求項１８に記載のインクジェット記録装置。
【請求項２０】
前記記録ヘッドの温度に関する情報を取得する第３の取得手段を更に有し、
前記制御手段は、前記第２の領域にインクを吐出するタイミングにおいて、前記第３の取得手段によって取得された前記情報が示す温度に応じて異なる駆動パワーを適用することを特徴とする請求項１８または１９に記載のインクジェット記録装置。
【請求項２１】
駆動パルスが印加されることでインクを吐出するためのエネルギーを生成する複数の記録素子が配列方向に配列された記録素子列を有する記録ヘッドを用意する工程と、
前記記録ヘッドと記録媒体を前記配列方向と交差する走査方向に相対的に走査させる走査工程と、
記録を行うために用いる記録データに基づいて、前記記録媒体を前記配列方向および前記走査方向に分割することにより得られる複数の分割領域それぞれに対するインクの吐出量に関する情報を取得する第１の取得工程と、
前記複数の分割領域のそれぞれにおいて、前記第１の取得工程により取得された前記情報が示すインクの吐出量が第１の閾値以下である場合に前記分割領域を第１の分割領域と判定し、前記第１の取得工程により取得された前記情報が示すインクの吐出量が前記第１の閾値よりも多い場合に前記分割領域を第２の分割領域と判定する第１の判定工程と、
前記第１の判定工程によって前記第２の分割領域と判定された前記分割領域それぞれに関し、対象の前記第２の分割領域と前記配列方向において同じ位置にある分割領域であって、且つ、前記第１の判定工程によって前記第１の分割領域と判定された前記分割領域が、当該対象の第２の分割領域に対して前記走査方向における上流側に連なる数により規定される当該対象の第２の分割領域における連続数に関する情報を取得する第２の取得工程と、
前記第２の取得工程によって取得された前記情報が示す前記対象の第２の分割領域における前記連続数が第２の閾値よりも多い場合、当該対象の第２の分割領域を第３の分割領域と判定する第２の判定工程と、
前記走査工程による走査中の所定のタイミングごとの記録のために、プレパルスと、前記プレパルスよりも後に印加されるメインパルスと、をそれぞれ含むＮ個の駆動パルスであって、前記プレパルスのパルス幅が所定の幅よりも短いＫ（Ｋ＜Ｎ）個の前記駆動パルスと、前記プレパルスのパルス幅が前記所定の幅よりも長いＮ−Ｋ個の前記駆動パルスと、からなる前記Ｎ個の駆動パルスの中から１つの前記駆動パルスを選択する選択工程と、
前記走査工程による走査を行いながら、前記複数の記録素子のそれぞれに前記選択工程によって選択された前記駆動パルスを印加することにより、前記記録データに基づいてインクを吐出するように制御する制御工程と、を有するインクジェット記録方法であって、
前記選択工程は、（ｉ）前記第２の判定工程によって前記第３の分割領域と判定された前記分割領域を含む第１の領域にインクを吐出するタイミングにおいて、前記Ｎ−Ｋ個の駆動パルスのうちの第１の駆動パルスを選択し、（ｉｉ）前記第１の領域と前記走査方向に異なる第２の領域にインクを吐出するタイミングにおいて、前記Ｋ個の駆動パルスの中から１つの前記駆動パルスを選択することを特徴とするインクジェット記録方法。